【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
入力面と第１の出力面と第１の対角面とを備えた第１のプリズムと、
第２の出力面と前記第１の対角面に当接した第２の対角面とを備えた第２のプリズムと、
前記第１の対角面と前記第２の対角面との間に配置されたビーム分割層と、
を含み、
前記入力面に入る光ビームは、前記第１の出力面を出る第１の分割光ビームと前記第２の出力面を出る第２の分割光ビームとに分割され、
前記第１の分割光ビームが伝播した光路長と前記第２の分割光ビームが伝播した光路長とは、光路長が一致されている、
ことを特徴とする光路長一致ビームスプリッタ。
【請求項２】
前記光路長が一致させられた光路長は、光学的に光路長が一致させられることを特徴とする請求項１に記載の光路長一致ビームスプリッタ。
【請求項３】
前記第１の分割光ビームは、前記第２の分割光ビームに対して９０度に向けられることを特徴とする請求項１に記載の光路長一致ビームスプリッタ。
【請求項４】
前記第１の分割光ビームは、ビームスプリッタの前記ビーム分割層によってのみ反射されることを特徴とする請求項１に記載の光路長一致ビームスプリッタ。
【請求項５】
前記第２の分割光ビームは、ビームスプリッタによって反射されないことを特徴とする請求項１に記載の光路長一致ビームスプリッタ。
【請求項６】
ただ一つの内部反射を有することを特徴とする請求項１に記載の光路長一致ビームスプリッタ。
【請求項７】
前記第１のプリズムと前記第２のプリズムの寸法は等しくないことを特徴とする請求項１に記載の光路長一致ビームスプリッタ。
【請求項８】
前記プリズム対角面の特定量の張出しを更に含み、
前記張出し量は、前記プリズムの前記寸法の差に比例する、
ことを特徴とする請求項７に記載の光路長一致ビームスプリッタ。
【請求項９】
前記第１のプリズムは、直角を成す２つの側面と、該直角側面の隣接しない端部を接続する対角面を備えた前記第１の対角面とを含む直角プリズムであることを特徴とする請求項１に記載の光路長一致ビームスプリッタ。
【請求項１０】
前記第１及び第２のプリズムは、三角プリズムであることを特徴とする請求項１に記載の光路長一致ビームスプリッタ。
【請求項１１】
前記第１のプリズムは、第１の組の直角を成す２つの側面と、該第１の組の２つの側面の隣接しない端部を接続する対角面を備えた前記第１の対角面とを含み、
前記第２のプリズムは、第２の組の直角を成す２つの側面と、該第２の組の２つの側面の隣接しない端部を接続する対角面を備えた前記第２の対角面とを含む、
ことを特徴とする請求項１に記載の光路長一致ビームスプリッタ。
【請求項１２】
前記光路長は、前記第１及び第２のプリズムをそれらの対角面に沿って光路長一致位置に到達するまで摺動させることにより一致させられることを特徴とする請求項１に記載の光路長一致ビームスプリッタ。
【請求項１３】
前記ビーム分割層は、前記対角面の１つに堆積した層を含むことを特徴とする請求項１に記載の光路長一致ビームスプリッタ。
【請求項１４】
前記ビーム分割層は、偏光ビーム分割層であることを特徴とする請求項１に記載の光路長一致ビームスプリッタ。
【請求項１５】
前記ビーム分割層は、色に基づくビーム分割層であることを特徴とする請求項１に記載の光路長一致ビームスプリッタ。
【請求項１６】
入力面と第１の出力面と第１の対角面とを備えた第１のプリズムと、
第２の出力面と前記第１の対角面に当接した第２の対角面とを備えた第２のプリズムと、
前記第１の対角面及び前記第２の対角面の少なくとも一方に配置された偏光ビーム分割層と、
を含み、
前記入力面に入る光ビームは、前記偏光ビーム分割層により、前記第１の出力面を出る第１の分割光ビームと、前記第２の出力面を出る第２の分割光ビームとに分割され、
前記第１の分割光ビームが伝播した光路長と前記第２の分割光ビームが伝播した光路長とは、光学的に光路長が一致させられ、
前記第１の分割光ビームは、前記第２の分割光ビームに対して９０度に向けられ、
前記第１のプリズム及び前記第２のプリズムの寸法は等しくない、
ことを特徴とする光路長一致ビームスプリッタ。
【請求項１７】
前記当接した対角面の特定量の張出しを更に含み、
前記張出し量は、前記プリズムの前記寸法の差に比例する、
ことを特徴とする請求項１６に記載の光路長一致ビームスプリッタ。
【請求項１８】
前記第１のプリズムは、第１の組の直角を成す２つの側面と、該第１の組の２つの側面の隣接しない端部を接続する対角面を備えた前記第１の対角面とを含み、
前記第２のプリズムは、第２の組の直角を成す２つの側面と、該第２の組の２つの側面の隣接しない端部を接続する対角面を備えた前記第２の対角面とを含む、
ことを特徴とする請求項１７に記載の光路長一致ビームスプリッタ。
【請求項１９】
前記光路長は、前記第１及び第２のプリズムをそれらの対角面に沿って光路長一致位置に到達するまで摺動させることにより一致させられることを特徴とする請求項１８に記載の光路長一致ビームスプリッタ。
【請求項２０】
少なくとも２つの他の同様に構成された光路長一致ビームスプリッタを有し、かつ一組の反射型マイクロディスプレイが調節不能に取り付けられたプリズムアセンブリ内に装着され、
前記マイクロディスプレイによって処理された光は、前記プリズムアセンブリ内の光学的に光路長を一致させた光チャンネルを出力点まで伝播する、
ことを特徴とする請求項２２に記載の光路長一致ビームスプリッタ。
【請求項２１】
対角面を備えた第１のプリズムと、
前記第１のプリズムの前記対角面上に配置されたビーム分割層と、
前記第１のプリズムと異なる寸法を有し、第２の対角面を備えた第２のプリズムと、
を含み、
前記第２のプリズムは、前記第２の対角面が前記第１のプリズムの前記対角面と平行になるような位置に固定され、
前記プリズムの前記固定位置は、入力面と第１の出口面と第２の出口面とを備えたビームスプリッタをもたらし、
前記面は、前記入力面に入る単一の光ビームが、前記第１の出口面を出る第１の分割光ビームと前記第２の出口面を出る第２の光ビームとに分割されるように、前記ビーム分割層に対して配置され、
前記第１の分割光ビーム及び前記第２の分割光ビームが前記ビームスプリッタ内を伝播する距離は同等である、
ことを特徴とする装置。
【請求項２２】
前記プリズムの寸法の差は、該プリズム間にそれらの対角面において該プリズムの寸法の差に比例した特定量の張出しをもたらすことを特徴とする請求項２１に記載の装置。
【請求項２３】
前記第１の分割ビームは、前記ビームスプリッタ内で一度だけ内部反射され、前記第２の分割ビームは、該ビームスプリッタ内で反射されないことを特徴とする請求項２２に記載の装置。
【請求項２４】
前記ビームスプリッタは、プリズムアセンブリに装着された第１のビームスプリッタであり、該プリズムアセンブリは、該第１のビームスプリッタと同様に構成された光路長一致ビームスプリッタである第２及び第３のビームスプリッタと、該プリズムアセンブリに調節不能に取り付けられた一組の反射型マイクロディスプレイとを含み、
前記マイクロディスプレイによって処理された光は、前記プリズムアセンブリ内の光学的に光路長を一致させた光チャンネルを出力点まで伝播する、
ことを特徴とする請求項２３に記載の装置。
【請求項２５】
前記反射型マイクロディスプレイの組の第１の反射型マイクロディスプレイは、前記プリズムアセンブリによって投影される画像の青色含有量のみで活性化され、
前記第１の反射型マイクロディスプレイは、前記第１のビームスプリッタにおいて前記プリズムアセンブリに取り付けられた唯一のマイクロディスプレイである、
ことを特徴とする請求項２３に記載のビームスプリッタ。